(57)【要約】      （修正有）【課題】シートの端末に取り付けられたウェイトバーの抜け止めを安定的に行うことができるシート用留め具を提供する。【解決手段】シート用留め具４は、ウェイトバー３を収容する内部空間である収容部４ｇを有して囲み形状に形成された留め具本体４ａと、収容部に収容されたウェイトバーの抜け止めを行う抜け止め片４ｂと、を備える。留め具本体４ａは、収容部４ｇの出入口でありウェイトバーを収容部に対して受け入れ可能又は取り出し可能とする出入口部４ｄを更に有する。抜け止め片４ｂは、撓み可能に構成され、収容部４ｇを狭めるように、留め具本体から収容部に突出している。【選択図】図２
0003215540.tif 000002
【実用新案登録請求の範囲】
【請求項１】
シートの端末に取り付けられたウェイトバーを保持するためのシート用留め具であって、
前記ウェイトバーを収容する内部空間である収容部と、該収容部の出入口であり前記ウェイトバーを前記収容部に対して受け入れ可能又は取り出し可能とする出入口部と、を有して囲み形状に形成された留め具本体と、
前記収容部に収容された前記ウェイトバーの抜け止めを行う抜け止め片と、を備え、
該抜け止め片は、前記収容部を狭めるように、前記留め具本体から前記収容部に突出していることを特徴とするシート用留め具。
【請求項２】
前記出入口部の開口幅は、自然状態において、前記収容部の幅よりも狭く形成されている請求項１に記載のシート用留め具。
【請求項３】
前記抜け止め片は、前記収容部に収容された前記ウェイトバーを前記留め具本体の内面に押し付けるように配設されている請求項１又は２に記載のシート用留め具。
【請求項４】
前記抜け止め片は可撓性部材から成り、
前記抜け止め片における前記収容部に収容された前記ウェイトバーに当接する部位が、前記収容部における前記出入口部とは逆の奥側に対向している請求項３に記載のシート用留め具。
【請求項５】
前記抜け止め片は、撓み可能に構成されており、撓むことで前記出入口部の開口幅を大きくすることができ、
前記留め具本体は、前記ウェイトバーをガイドするガイド端部を有し、
該ガイド端部は、前記留め具本体において前記抜け止め片とは逆側に設けられて、前記収容部から外方に向かって末広がりとなるように傾斜しており、前記ウェイトバーが前記抜け止め片を撓ませる位置に前記ウェイトバーをガイドしている請求項１から４のいずれか一項に記載のシート用留め具。
【請求項６】
請求項１から５のいずれか一項に記載のシート用留め具と、
シートと、
該シートの一方の端末に取り付けられたウェイトバーと、
前記シートの他方の端末に取り付けられた巻取軸と、を備える留め具付きシートセット。
【請求項７】
前記ウェイトバーは、弾性材料を少なくとも外周部に含む請求項６に記載の留め具付きシートセット。
【請求項８】
前記巻取軸の少なくとも一方の端部には、前記巻取軸の軸方向に伸縮可能な伸縮部材が取り付けられており、
前記巻取軸は、前記伸縮部材を介して支持部材によって支持されることが可能であり、
前記伸縮部材は、
前記巻取軸の端部に嵌合する中空の嵌合部と、
該嵌合部に対して回動する回動部と、
前記嵌合部の中空部分に対して伸縮方向に突没する突没部と、
前記回動部の回動変位を前記突没部の伸縮方向の変位に変換する変位方向変換部と、を有し、
前記突没部は、自然状態において前記嵌合部から突出して前記支持部材によって支持可能となり、前記回動部が回動したときに前記嵌合部の中空部分に没入して、前記支持部材による支持を解除する請求項６又は７に記載の留め具付きシートセット。
【請求項９】
前記シートは、太陽電池を備える請求項６から８のいずれか一項に記載の留め具付きシートセット。
【請求項１０】
温風吹き出し装置を更に備え、
該温風吹き出し装置は、前記太陽電池から生じた電力によって、温風を吹き出す請求項９に記載の留め具付きシートセット。
【請求項１１】
高電圧殺虫器を更に備え、
該高電圧殺虫器は、前記太陽電池から生じた電力によって、殺虫可能に変圧し高電圧を前記シートの少なくとも一部に生じさせる請求項９又は１０に記載の留め具付きシートセット。
【考案の詳細な説明】
【技術分野】
【０００１】
本考案は、シート用留め具及び留め具付きシートセットに関する。
【背景技術】
【０００２】
従来から、巻取軸に巻き取られたシートを展開し、展開した状態を保持して、ビニールハウスの壁面シートや、店舗の店先に設置される張り出し日除けシート、キャンプに用いられるテント、屋内の露出を防ぐブラインド等、各種用途に用いられていた。
【０００３】
例えば、特許文献１には、屋内に光を導入するため、反射面を有するシート（同文献には、ロールスクリーンと記載。）を備える出窓採光装置が開示されている。この出窓採光装置では、シートの下端に設けられたウェイトバー及びウェイトバーに取り付けられた連結部材及びクリップを介してシートをレール部材に取り付けるというものである。
【先行技術文献】
【特許文献】
【０００４】
【特許文献１】特開２０１０−１３８６６０号公報
【考案の概要】
【考案が解決しようとする課題】
【０００５】
特許文献１に開示された出窓採光装置のシートは、屋内への採光のためであり当然屋内で用いられるものである。採光以外の上記の用途をもって、連結部材及びクリップを介してレール部材にシートを屋外で固定する場合には、強風によってシートに大きな力が加わり、シートが煽られて膨らんで、左右に振れることがある。このような場合、シートの展開状態を安定させることができないばかりでなく、クリップがレール部材から抜け出ることがあった。
【０００６】
本考案は、上記の課題に鑑みなされたものであり、シートの端末に取り付けられたウェイトバーの抜け止めを安定的に行うことを目的とする。
【課題を解決するための手段】
【０００７】
本考案に係るシート用留め具は、シートの端末に取り付けられたウェイトバーを保持するためのシート用留め具であって、前記ウェイトバーを収容する内部空間である収容部と、該収容部の出入口であり前記ウェイトバーを前記収容部に対して受け入れ可能又は取り出し可能とする出入口部と、を有して囲み形状に形成された留め具本体と、前記収容部に収容された前記ウェイトバーの抜け止めを行う抜け止め片と、を備え、該抜け止め片は、前記収容部を狭めるように、前記留め具本体から前記収容部に突出していることを特徴とする。
【０００８】
また、本考案に係る留め具付きシートセットは、前記シート用留め具と、シートと、該シートの一方の端末に取り付けられたウェイトバーと、前記シートの他方の端末に取り付けられた巻取軸と、を備えることを特徴とする。
【考案の効果】
【０００９】
本考案によれば、収容部に収容されたウェイトバーの抜け止めを安定して行うことができるシート用留め具及び留め具付きシートセットを提供できる。
【図面の簡単な説明】
【００１０】
【図１】本実施形態に係る留め具付きシートセットを家屋の庇に取り付けた状態を示す斜視図である。
【図２】図１における留め具付きシートセットのII-II断面を示すものであり、巻取軸及びウェイトバーの断面を示すものである。
【図３】ウェイトバーをシート用留め具に取り付ける際の状態を段階的に示す模式図である。特に、（ａ）は、自然状態のシート用留め具を示す図である。（ｂ）は、ウェイトバーがガイド端部にガイドされて、抜け止め片の上方にガイドされている状態を示す図である。（ｃ）は、抜け止め片の復元力により、ウェイトバーを介して突出部を撓ませている状態を示す図である。（ｄ）は、ウェイトバーが収容部に収容された状態を示す図である。
【図４】変形例に係るシート用留め具を示す模式図である。
【図５】変形例に係るウェイトバーを示す模式図である。
【図６】（ａ）は、突没部が回動部材から突出した状態の伸縮部材を示す断面図である。（ｂ）は、突没部が回動部材（嵌合部材）の内部に退入した状態の伸縮部材を示す断面図である。
【図７】シートに設けられた太陽電池からの電力によって、温風吹き出し装置から温風を吹き出している状態を示す模式図である。
【図８】シートに設けられた太陽電池からの電力によって、高電圧殺虫器を稼働させている状態を示す模式図である。
【考案を実施するための形態】
【００１１】
以下、本考案の実施形態を図面に基づいて説明する。なお、以下に説明する実施形態は、本考案の理解を容易にするための一例に過ぎず、本考案を限定するものではない。すなわち、以下に説明する部材の形状、寸法、配置等については、本考案の趣旨を逸脱することなく、変更、改良され得るとともに、本考案にはその等価物が含まれることは勿論である。また、すべての図面において、同様の構成要素には同一の符号を付し、適宜に説明を省略する。
【００１２】
＜＜概要及び全体構成について＞＞
まず、図１及び図２を主に参照して本考案の実施形態に係るシート用留め具４及び留め具付きシートセットＳの全体構成及び概要について説明する。
図１は、本実施形態に係る留め具付きシートセットＳを家屋Ｈの庇Ｈａに取り付けた状態を示す斜視図、図２は、図１における留め具付きシートセットＳのII-II断面を示すものであり、巻取軸及びウェイトバーの断面を示すものである。なお、図２においては、他の構成を明瞭に示すため巻取ローラを省略しているが、巻取ローラはローラブラインドに一般的に用いられるものである。
【００１３】
シート用留め具４は、図２に示すように、シート１の下側の端末に取り付けられたウェイトバー３を着脱可能に保持するものである。シート用留め具４は、ウェイトバー３を収容する内部空間である収容部４ｇと、収容部４ｇの出入口でありウェイトバー３を収容部４ｇに対して受け入れ可能又は取り出し可能とする出入口部４ｄと、を有して囲み形状に形成された留め具本体４ａと、収容部４ｇに収容されたウェイトバー３の抜け止めを行う抜け止め片４ｂと、を備える。抜け止め片４ｂは、収容部４ｇを狭めるように、留め具本体４ａから収容部４ｇに突出している。具体的には、抜け止め片４ｂのうち、後述する当接部４ｂｃが収容部４ｇに向けて延在していることにより、収容部４ｇ（収容空間）を狭めている。
このように、抜け止め片４ｂが収容部４ｇを狭めるように設けられていることにより、収容部４ｇに収容されたウェイトバー３の抜け止めを安定して行うことができる。
【００１４】
ここで、本考案における「収容部」とは、留め具本体４ａにおける出入口部４ｄよりも内側において、ウェイトバー３が動作できる部分（空間）をいうものとする。そして、「収容部を狭める」とは、留め具本体４ａにおける出入口部４ｄよりも内側において、ウェイトバー３が動作できる部分（空間）を狭めることを意味する。
また、「出入口部」とは、ウェイトバー３がシート用留め具４の外部において自由に動作できる領域と、収容部４ｇとを隔てる部位である。本実施形態における出入口部４ｄは、後述するガイド端部４ｆと抜け止め片４ｂとが最も近接する位置における開口面をいう。
【００１５】
留め具付きシートセットＳは、図１及び図２に示すように、シート用留め具４と、シート１と、シート１の一方（下側）の端末に取り付けられたウェイトバー３と、シート１の他方（上側）の端末に取り付けられた巻取軸２と、を備える。
このような構成に係る留め具付きシートセットＳによれば、上記のシート用留め具４の利点を留め具付きシートセットＳにおいて享受できる。
図１に示すように、本実施形態に係る留め具付きシートセットＳは、家屋Ｈの庇Ｈａの外側端部の下部に取り付けられるローラブラインドである。
【００１６】
＜＜各部品の構成について＞＞
図２に示すように、シート１は、上下の両側の端末に係止片１ａが図示せぬピン等によって取り付けられている。係止片１ａは、巻取軸２の開口２ａ及びウェイトバー３の開口３ａに通されて、開口２ａ、３ａの縁から連続する内壁に係止して、シート１と巻取軸２及びウェイトバー３とを接続するものである。
巻取軸２は、シート１を巻取り可能、及び引き出し可能に構成されており、カバー７によって上方及び前方（外方）を覆われている。巻取軸２は、カバー７上部に下方から取り付けられた一対の端部支持部材６によって、その両端部を支持されている。詳細には、巻取軸２の他方側の端部は、後述する伸縮部材８を介して端部支持部材６に支持されている。
【００１７】
カバー７は、図１及び図２に示すように、断面Ｌ字状に形成されており、長手方向両側に側壁を有しない。このようにカバー７が形成されていることで、使用者は、後述する伸縮部材８の突没部材１１を没入（退入ともいう。）させて端部支持部材６から巻取軸２を取り付け又は取り外す際の操作を、カバー７の側壁７ａに邪魔されずに簡単に行うことができる。端部支持部材６に対する巻取軸２の取り付け又は取り外しは、シート１の洗濯や交換等をする際に行われる。
なお、カバー７において、伸縮部材８が設けられていない長手方向の一方側のみに側壁を設けるようにして、端部支持部材６の１つを雨等から保護するようにしてもよい。または、カバー７が長手方向の少なくとも伸縮部材８が取り付けられる端部支持部材６側に、着脱可能な側壁を備えるようにしてもよい。このような構成によれば、使用者が伸縮部材８を操作するときのみ、側壁を取り外して、巻取軸２を端部支持部材６から取り外し又は取り付ける作業を容易に行うことができる。
【００１８】
ウェイトバー３は、シート１が幅方向内側によれるように撓むことを防止しつつ、その重さによって、シート１が展開状態を維持可能とするものであり、断面略円筒状に形成されている。特に、ウェイトバー３がシート用留め具４に支持されることによって、シート１の展開状態が確実に維持されることになる。
巻取軸２及びウェイトバー３は、係止片１ａを下方から支持する受け部２ｂ、３ｂを有する。受け部２ｂ、３ｂは、開口２ａに連続する空間を、係止片１ａよりも一回り大きい空間に区画している。係止片１ａは、開口２ａ、３ａを通って受け部２ｂ、３ｂ上の空間に収容される。
【００１９】
本実施形態に係るシート用留め具４は、上記のようにウェイトバー３を着脱可能に保持するものであり、図１に示すように一対の支持脚５のそれぞれの側面に取り付けられている。
シート用留め具４は、シート１を展開状態に維持する際に、ウェイトバー３を収容して保持するための金具であり、例えばステンレス鋼からなる部材であり、後述する各構成部位全体として、撓むことができる程度に薄く形成された可撓性部材である。
シート用留め具４は、図２に示すように、金属板を折り曲げ加工して多角形等の囲み形状の留め具本体４ａと、収容部４ｇに押入されたウェイトバー３の抜け止めする抜け止め片４ｂと、を備える。
【００２０】
留め具本体４ａは、平板状の底部４ａａと、底部４ａａの一方側の端部から上方に延在する高壁部４ａｂ、逆側の端部から上方に延在する低壁部４ａｃと、を有する。さらに、留め具本体４ａは、低壁部４ａｃの上端部から高壁部４ａｂ側に傾斜し上方に延在して留め具本体４ａの内側に突出する突出部４ｅと、突出部４ｅの上端部から外側斜め上方に延在するガイド端部４ｆと、を有する。
突出部４ｅは、外力を受けたときに、低壁部４ａｃの上端部を中心に曲げ変形して変位可能に構成されている。ガイド端部４ｆは、留め具本体４ａにおいてガイド端部４ｆとは逆側であって下方に設けられた抜け止め片４ｂの傾斜部４ｂｂの上方の位置にウェイトバー３をガイドする機能を有し、その傾斜方向が４ｂｂの上面に交差するように形成されている。換言すると、ガイド端部４ｆは、収容部４ｇから外方に向かって末広がりとなるように傾斜しており、ウェイトバー３が抜け止め片４ｂを撓ませる位置にウェイトバー３をガイドしている。
【００２１】
本実施形態に係る抜け止め片４ｂは、収容部４ｇに収容されたウェイトバー３に対して斜め下向きに当接可能に設けられており、留め具本体４ａの高壁部４ａｂの上端部から折り返されて形成されて、留め具本体４ａと一体的に連続して形成されている。具体的には、抜け止め片４ｂは、高壁部４ａｂの上端部からシート用留め具４の内側に折り返されて下方に延在する基部４ｂａと、基部４ｂａの下端部から下方斜め内側に延在する傾斜部４ｂｂと、傾斜部４ｂｂの下端部から下方斜め外側に延在する当接部４ｂｃと、から構成されている。
傾斜部４ｂｂは、外力を受けたときに、基部４ｂａの下端部を中心に撓んで変位可能に構成されている。
当接部４ｂｃは、ウェイトバー３の周面の一部に当接可能な部位であり、外力を受けたときに、傾斜部４ｂｂの下端部を中心に撓んで変位可能に構成されている。
【００２２】
ウェイトバー３の出入口となる出入口部４ｄは、突出部４ｅの上端部でありガイド端部４ｆの下端部である部位と、抜け止め片４ｂの傾斜部４ｂｂの下端部であり、当接部４ｂｃの上端部である部位と、によって規定される。この出入口部４ｄの開口幅ｗ１は、自然状態において、ウェイトバー３を収容する収容部４ｇの収容幅ｗ２よりも狭く形成されている。このように形成されていることで、出入口部４ｄを開くように力を加えてウェイトバー３を収容部４ｇに収容した後に、出入口部４ｄ（突出部４ｅ及び傾斜部４ｂｂ）が自然状態に戻る、あるいは戻ろうと一部が変位する状態となることで、ウェイトバー３が収容部４ｇから抜け出ることを防止することができる。
なお、本実施形態においては、収容部４ｇの収容幅ｗ２は、図２に示すように、ウェイトバー３の振れを抑制するため、ウェイトバー３の直径と同じ長さであるが、ウェイトバー３の直径よりも長くてもよい。
【００２３】
＜＜収納部へのウェイトバーの収納について＞＞
次に、シート用留め具４に設けられた収容部４ｇへのウェイトバー３の収納（取り付け）について、図３を主に参照して説明する。図３は、ウェイトバー３をシート用留め具４に取り付ける際の状態を段階的に示す模式図である。特に、図３（ａ）は、自然状態のシート用留め具４を示す図、図３（ｂ）は、ウェイトバー３がガイド端部４ｆにガイドされて、抜け止め片４ｂの上方にガイドされている状態を示す図である。図３（ｃ）は、抜け止め片４ｂの復元力により、ウェイトバー３を介して突出部４ｅを撓ませている状態を示す図、図３（ｄ）は、ウェイトバー３が収容部４ｇに収容された状態を示す図である。
【００２４】
図３（ａ）に示すように、抜け止め片４ｂの上方からガイド端部４ｆ側に少しずれた位置からウェイトバー３をシート用留め具４に取り付ける場合を想定する。
この場合、ウェイトバー３は、ガイド端部４ｆに当接して、ガイド端部４ｆの傾斜面を滑るようにして、図３（ｂ）に示すように抜け止め片４ｂ（傾斜部４ｂｂ）の上方に、ガイド端部４ｆによりガイドされる。
【００２５】
このとき、抜け止め片４ｂの傾斜部４ｂｂは、ウェイトバー３の自重及び使用者による押し込み力によって、基部４ｂａの下端を中心に下方に撓む。そして、傾斜部４ｂｂの下端部（傾斜部４ｂｂと当接部４ｂｃとの接続部分）とガイド端部４ｆの下端部（ガイド端部４ｆと突出部４ｅとの接続部分）との距離が離れることにより、出入口部４ｄは、自然状態の開口幅ｗ１よりも大きい開口幅ｗ１ａとなる。
このように、ウェイトバー３をガイド端部４ｆに押し込むことで、ガイド端部４ｆにより抜け止め片４ｂ側にウェイトバー３を自然にガイドさせることができ、抜け止め片４ｂが撓んで、出入口部４ｄの開口幅を広げることができる。
【００２６】
さらに、使用者が、ウェイトバー３を下方に押し込み、傾斜部４ｂｂの下端部とウェイトバー３の軸心を結んだ仮想直線Ｌ（図４（ｃ）参照）がガイド端部４ｆの下端部上に重なると、出入口部４ｄは、開口幅ｗ１ａよりも大きく、ウェイトバー３の直径と等しい開口幅ｗ１ｂとなる。そして、ウェイトバー３が更に下方に移動することにより、仮想直線Ｌがガイド端部４ｆの下端部を越えて当該下端部よりも下方に位置すると、傾斜部４ｂｂの復元力が、ウェイトバー３を介して突出部４ｅを押し上げる向きに突出部４ｅに加わる。このため、突出部４ｅは、低壁部４ａｃの上端部を中心に上方且つ外方に撓む。ウェイトバー３は、傾斜部４ｂｂの上面に沿って滑り落ちつつ、突出部４ｅから加わる反力によって、突出部４ｅ側の斜め下方に移動する。
【００２７】
次に、図３（ｄ）に示すように、ウェイトバー３が収容部４ｇ内に収まったときに、抜け止め片４ｂの傾斜部４ｂｂの上面がウェイトバー３に当接しなくなることで、抜け止め片４ｂは自然状態に戻ることになる。このとき、抜け止め片４ｂは、収容部４ｇに収容されたウェイトバー３に当接部４ｂｃの下面で当接しており、当接部４ｂｃは、収容部４ｇにおける出入口部４ｄとは逆の奥側（下側）に対向している。
このような構成によれば、ウェイトバー３が出入口部４ｄ側に動作し抜け止め片４ｂを押圧したときには、抜け止め片４ｂにより収容部４ｇの奥側にウェイトバー３を押し戻すことができ、出入口部４ｄからのウェイトバー３の抜け出しを防止できる。
【００２８】
本実施形態に係るシート用留め具４は、図３（ｄ）に示すように、ウェイトバー３を留め具本体４ａの底部４ａａ及び低壁部４ａｃ並びに当接部４ｂｃの３点で当接支持している。具体的には、ウェイトバー３の中心軸を中心として、隣接する当接点の中心角が１８０度を超えない上記の３点で当接支持している。このようにウェイトバー３を支持していることで、ウェイトバー３のあらゆる方向の動作を制限することができ、ガタツキによる異音の発生を防止できる。
【００２９】
さらに、突出部４ｅもその下面がウェイトバー３を当接支持するようにして、４点で支持するようにすれば、ウェイトバー３から出入口部４ｄを抜け出る方向に抜け止め片４ｂに荷重が加わった場合にも、当該荷重を突出部４ｅにも分散することができる。このため、ウェイトバー３の収容状態をより安定させることができる。具体的には、例えば図３（ｄ）におけるウェイトバー３の軸線方向にみて、留め具本体４ａの底部４ａａ、低壁部４ａｃ、抜け止め片４ｂの当接部４ｂｃ及び突出部４ｅは、時計盤における２時、６時、９時、１０時あたりの位置でウェイトバー３を支持するとよい。
【００３０】
さらには、抜け止め片４ｂが単にウェイトバー３に接触しているだけでなく、弾性変形した状態で収容部４ｇに収容されたウェイトバー３を押圧していると、ウェイトバー３の収容状態をより安定させることができる。具体的には、抜け止め片４ｂの当接部４ｂｃが、ウェイトバー３を留め具本体４ａの内面に押し付けるように押圧していると好適である。
シート１は、風圧を受けると撓み変形するためウェイトバー３を引き上げる。このとき、上記のように弾性変形した状態で抜け止め片４ｂがウェイトバー３に当接することにより、ウェイトバー３が上方に引抜力を受けても、ウェイトバー３を留め具本体４ａの内壁面（図４（ｄ）では底部４ａａ及び低壁部４ａｃ）に対して常時押し付けることができる。したがって、ウェイトバー３には静的に上方の引抜力が発生するだけで、ウェイトバー３は収容部４ｇ内でガタツキなく保持されることになり、収容部４ｇから脱落しにくい。さらに、抜け止め片４ｂがウェイトバー３に対して斜め下向きに当接しているため、ウェイトバー３の上方への変位が強力に規制される。
【００３１】
しかしながら、このような構成に本考案は限定されず、ウェイトバー３が抜け出ない範囲内でウェイトバー３の揺動を許容するようにしてもよい。つまり、抜け止め片４ｂの当接部４ｂｃは、必ずしもウェイトバー３に接触している必要はない。具体的には、ウェイトバー３の抜け出しを制限できる範囲内、つまり、開口幅ｗ１がウェイトバー３の径よりも大きくならない範囲内で、ウェイトバー３から離間していてもよい。
【００３２】
さらには、抜け止め片４ｂによって収容部４ｇ内にウェイトバー３を十分に保持できるならば、必ずしも突出部４ｅは必要ではなく、底部４ａａから直立する低壁部４ａｃのみであってもよい。
また、傾斜部４ｂｂの上方にウェイトバー３をガイドする必要が無い場合には、ガイド端部４ｆは必ずしも必要な構成ではない。
【００３３】
また、上記実施形態においては、抜け止め片４ｂ及び突出部４ｅを含むシート用留め具４は全体として可撓性を有するものであるものとして説明した。このような構成によれば、抜け止め片４ｂ又は突出部４ｅのいずれかを撓ませて、ウェイトバー３を通すことができる幅に出入口部４ｄの開口幅ｗ１を拡げることができるため、ウェイトバー３をシート用留め具４から容易に抜き出すことができる。
しかし、本考案は、このような構成に限定されない。抜け止め片４ｂが可撓性を有するものであれば、突出部４ｅは、可撓性を有しない剛体であってもよい。突出部４ｅが剛体であれば、図３（ｄ）に示す状態から、ウェイトバー３が上方に抜け出ようとするときに、突出部４ｅが撓まないことで、ウェイトバー３の出入口部４ｄからの抜け出しを好適に防ぐことができる。なお、ウェイトバー３をシート用留め具４から抜き出すときは、使用者は、抜け止め片４ｂを図３（ｄ）の状態から下方に撓ませるように押し込んで、出入口部４ｄの開口幅ｗ１をウェイトバー３が通る開口幅ｗ１ｂに拡げればよい。
【００３４】
なお、上記実施形態においては、抜け止め片４ｂは、シート用留め具４の一部を構成するもの、つまり、シート用留め具４の留め具本体４ａと一体的に形成されているものとして説明したが、本考案はこのような構成に限定されない。
例えば、留め具本体４ａの他の部位と別体として、他の部位に溶接やねじによる螺合やハトメ等によって取り付けるようにしてもよい。そして、抜け止め片４ｂに剛性の低い材料を採用すれば、抜け止め片４ｂが撓みやすくなり、出入口部４ｄが開きやすくなることで収容部４ｇに対してウェイトバー３を収容及び抜き出しやすくできる。一方で抜け止め片４ｂに剛性の高い材料を採用すれば、収容部４ｇに収容されたウェイトバー３に抜け止め片４ｂが当接したときに変形しにくくなり、収容部４ｇへのウェイトバー３の収容状態を維持しやすくできる。
【００３５】
＜変形例＞
上記の実施形態においては、抜け止め片４ｂ（当接部４ｂｃ）の下面が、ウェイトバー３の上側の周面に当接して、ウェイトバー３が上方に抜け出ることを抑制していたがこのような構成に限定されない。
次に、変形例に係るシート用留め具１４について図４を主に参照して、変形例に係るウェイトバー２３について図５を主に参照して説明する。図４は、変形例に係るシート用留め具１４を示す模式図、図５は、変形例に係るウェイトバー２３を示す模式図である。
【００３６】
本変形例に係るシート用留め具１４が備える抜け止め片１４ｂにおいては、その端部である当接部１４ｂｃが、自然状態においては、図４において二点鎖線で示すように、下端に向かうにつれて低壁部４ａｃに近づくように傾斜して形成されている。そして、ウェイトバー３が収容部４ｇに収容された状態においては、抜け止め片１４ｂの当接部１４ｂｃは、ウェイトバー３に押し込まれることによって、傾斜部１４ｂｂの下端部を中心に弾性変形している。このとき抜け止め片１４ｂの当接部１４ｂｃは、底部４ａａに対して垂直に延在しており、収容部４ｇに収容されたウェイトバー３に真横から当接する形態となっている。
【００３７】
このような構成からなる抜け止め片１４ｂを備えるシート用留め具１４においては、ウェイトバー３のシート用留め具１４から引き抜く際に、当接部１４ｂｃがそれを阻害する位置にない。このため使用者は、抜け止め片１４ｂを変形させなくても、ウェイトバー３を上方に引くことでシート用留め具１４から抜き出すことができる。
具体的には、使用者は、ウェイトバー３を引くことで、ウェイトバー３に当接した突出部４ｅを低壁部４ａｃの上端を中心に上方に且つ外方に撓ませる。突出部４ｅが撓むことで、出入口部１４ｄの開き幅がウェイトバー３の直径以上に拡がることで、シート用留め具１４からウェイトバー３を抜き出すことができる。
【００３８】
図５に示すように、変形例に係るウェイトバー２３は、弾性材料として例えばシリコンラバー２３ｃを少なくとも外周部に含む。本考案における「弾性材料」とは、復元力を有する材料のことをいい、シリコンラバーに限られず、天然ゴム又はウレタン等のクッション性のあるゴム系材料を含むものである。ウェイトバー２３の全体が弾性材料で作成されていてもよく、外周表面の一部厚さ領域のみ弾性材料で作成され、その内部は当該弾性材料よりも硬質の材料で作成されていてもよい。
ウェイトバー２３の少なくとも外周部がシリコンラバー２３ｃ等の弾性材料で作成されていることで、抜け止め片４ｂの当接部４ｂｃとウェイトバー２３との接触面積を大きくすることができ、風がシート１に当たることによって揺れ動くウェイトバー２３を安定的に保持することができる。さらに、シート用留め具４とウェイトバー２３が打ち当たることによって異音が生じることを抑制できる。さらには、ウェイトバー２３がシート用留め具４から仮に脱離しても、ウェイトバー２３の表面が軟質の弾性材料であることで窓などの損傷を抑制することができる。
【００３９】
また、ウェイトバー２３には弾性材料（シリコンラバー２３ｃ）を設けずに（つまり、第１実施形態に係るウェイトバー３とし）、シート用留め具４の内面のうち、少なくともウェイトバー３に接する部位に弾性材料を設けるようにしてもよい。例えばシリコンラバー又はウレタンシートをシート用留め具４の低壁部４ａｃや底部４ａａの内面に貼付することが考えられる。
【００４０】
その他のウェイトバー３の揺れ動きを抑制する構成としては、ウェイトバーが、シート用留め具４における平面状の当接面を有する当接部４ｂｃに当接する部分に、平面部を有するものであってもよい。例えば、断面円筒状のウェイトバーの一部に平面部を形成してもよく、断面三角形状又は断面五角形状その他の断面多角形状に形成されるものであってもよい。このようにすれば、当接部４ｂｃとウェイトバーの一部が面接触することで、ウェイトバー３が揺れ動いたとしても摩擦力が加わりやすくなり、ウェイトバーが当接部４ｂｃに対して摺動することを抑制できる。
特に、ウェイトバーは、シート１を取り付ける部分を仮想的な頂点として、下方にかけて末広がり状となる断面形状が正置の三角形状であると好ましい。このように、ウェイトバーが断面三角形状であると、シート用留め具４の出入口部４ｄにウェイトバーを抜き差しする際の作業が容易となる。具体的には、作業者は、ウェイトバーの断面三角形状の任意の下側の頂点部分から出入口部４ｄにウェイトバーを通して差し込むことができる。一方、ウェイトバーの上側の仮想的な頂点から出入口部４ｄにウェイトバーを通して抜き出すようにできる。つまり、断面三角形状のウェイトバーの鋭角な頂点を利用して、シート用留め具４からウェイトバーを容易に抜き差しできる。
一方で、ウェイトバーは、下方にかけて末広がりになっていることにより、風圧が加わる等、シート１に荷重が加わったときでも、シート用留め具４の収容部４ｇに収容された状態から上方の出入口部４ｄを越えて不意に抜け出ることを抑制できる。
【００４１】
上記実施形態においては、一対の支持脚５のそれぞれに取り付けられたシート用留め具４で、ウェイトバー３の両端部を収容し、シート１が展開状態となるように保持するとして説明したが、本考案はこのような構成に限定されない。例えば、シート用留め具４を追加的に設けて、ウェイトバー３の中間部分を任意で収容するようにしてもよい。さらには、ウェイトバー３と同程度の長さで延在してウェイトバー３の略全体を収容するようにしてもよい。このようにすれば、シート１の幅（ウェイトバー３の長さ）が長いものであっても、シート用留め具４によってウェイトバー３を好適に保持することができる。
【００４２】
さらに、上記実施形態に係る留め具付きシートセットＳにおいては、１枚のシート１の展開状態をシート用留め具４によって保持するものとして説明した。例えば、３枚のシート１を平面視コの字状に配置して、その展開状態を保持可能として、庇Ｈａ及び家屋Ｈの壁面との組み合わせにより、準密閉空間を形成するようにしてよい。この場合、各シート１に設けられたウェイトバー３の両端部又は全体をシート用留め具４で保持するようにすればよい。
【００４３】
＜＜伸縮部材の構成＞＞
次に、図６を主に参照して、端部支持部材６に対して巻取軸２を容易に着脱可能とする伸縮部材８について説明する。図６（ａ）は、突没部１１ｂが回動部材９から突出した状態の伸縮部材８を示す断面図、図６（ｂ）は、突没部１１ｂが回動部材９（嵌合部材１０）の内部に退入した状態の伸縮部材８を示す断面図である。
巻取軸２の少なくとも一方の端部には、巻取軸２の軸方向に伸縮可能な伸縮部材８（図６参照）が取り付けられており、巻取軸２は、伸縮部材８を介して支持部材（端部支持部材６、図２参照）に支持されることが可能である。
伸縮部材８は、巻取軸２の端部の内周部分に嵌合する中空の嵌合部（嵌合部材１０）と、嵌合部（嵌合部材１０）に対して回動する回動部（回動部材９）と、嵌合部（嵌合部材１０）の中空部分に対して伸縮方向に突没する突没部１１ｂと、回動部（回動部材９）の回動変位を突没部１１ｂの伸縮方向の変位に変換する変位方向変換部（係合突起９ｄ及び傾斜端部１１ａ）と、を主に有する。
【００４４】
嵌合部材１０は、フランジ部１０ａと、フランジ部１０ａと同心上に形成された円筒箱状の本体部１０ｂと、から構成されている。フランジ部１０ａは、後述する回動部材９のフランジ部９ａの片面に面接触している。フランジ部１０ａの中央には、後述する回動部材９の本体部９ｂを挿通させる貫通孔１０ｃが軸心方向に形成されている。
本体部１０ｂは、後述する回動部材９の本体部９ｂ、及び本体部９ｂ内を挿通する突没部材１１を内部に収容可能な大きさで形成されている。
【００４５】
回動部材９は、嵌合部材１０と同心上に組み付けられたフランジ部９ａと、円筒状に形成されてフランジ部９ａと同心上に形成された本体部９ｂと、を主に備える。
フランジ部９ａの中央には、後述する突没部材１１の突没部１１ｂを挿通させる貫通孔９ｅが軸心方向に形成されている。
【００４６】
本体部９ｂには、突没部材１１を挿通可能にしつつ後述する圧縮ばね１３を収容する中空部９ｃが軸心方向に形成されている。圧縮ばね１３は、突没部材１１を嵌合部材１０の内部に没入させる方向に付勢する機能を有し、後述する突没部材１１の傾斜端部１１ａとフランジ部９ａとの間に配設されている。
【００４７】
本体部９ｂと本体部１０ｂとの間には、ねじりばね１２が配設されている。ねじりばね１２は、突没部１１ｂが回動部材９から突出する初期位置と対応する位置に、回動部材９を付勢する部材である。ねじりばね１２は、嵌合部材１０に一端部が固定されており、本体部９ｂに他端部が固定されている。ねじりばね１２による回転トルクによって後述する係合突起９ｄから傾斜端部１１ａに加わる荷重は、圧縮ばね１３によって傾斜端部１１ａを介して係合突起９ｄを押す荷重よりも大きくなるように、ねじりばね１２及び圧縮ばね１３は選定されている。
【００４８】
本体部９ｂにおけるフランジ部９ａが設けられた端部とは逆側の端部の内面には、中空部９ｃに突出する係合突起９ｄが形成されている。係合突起９ｄは、突没部材１１の傾斜端部１１ａの傾斜面と係合して、回動部材９の回動方向の変位を突没部材１１の突没方向の変位に変換する変位方向変換部であり、半球状（略半球を含む）に形成されている。
突没部材１１は、軸心方向に対して傾斜した傾斜端面を有する傾斜端部１１ａと、棒状の突没部１１ｂと、から構成されている。
【００４９】
＜＜伸縮部材の作用＞＞
使用者は、図６（ａ）に示す状態から、図６（ａ）の矢印で示すように回動部材９を所定角度に回動させると、図６（ｂ）に示すように、回動部材９に形成された係合突起９ｄの位置が所定角度だけ変わる。そうすると、突没部材１１は、係合突起９ｄとの接触位置が圧縮ばね１３の付勢により傾斜端部１１ａにおける先端部分から基端部分に変わることにより、全体として嵌合部材１０の奥側に移動することになる。このため、突没部１１ｂは、フランジ部９ａに対して突出する突出状態から突出しない退入状態となる。
【００５０】
このように、突没部１１ｂは、自然状態において嵌合部材１０から突出して支持部材（端部支持部材６）によって支持可能となり、使用者が回動部（回動部材９）を回動したときに嵌合部（嵌合部材１０）の中空部分に没入して、支持部材（端部支持部材６）による支持を解除することができる。
なお、本考案は、操作に応じて伸張できるものであれば上記のような伸縮部材８に限定されない。例えば、突没部材１１をフランジ部９ａから突出する向きに付勢する圧縮ばねを備え、本体部９ｂの内周面に、軸心方向に対して斜めに溝が形成されており、突没部材１１の先端部に軸心方向に直交する方向に突出して上記溝に係合する半球状の係合突起が形成されている構成でもよい。この構成においても、回動部材９を回動すれば、溝の縁面から係合突起に荷重を加えることができ、圧縮ばねの付勢に反して、突没部材１１を嵌合部材１０の没入方向に移動させることができる。上記構成によれば、機械的に突没部の進退を調整できるため、操作が容易であり好適であるが、本考案はこのような構成に限定されない。例えば、空気圧を変化させたり、モーターの回転運動を直進運動の動力に変換させるようにして、突没部を進退させるようにしてもよい。
【００５１】
＜＜太陽電池付きのシート＞＞
留め具付きシートセットＳは、図７に示すように、シート１の外表面に設けられた太陽電池１５と、太陽電池１５に接続された温風吹き出し装置１６と、を備えるものであってもよい。図７は、シート１に設けられた太陽電池１５からの電力によって、温風吹き出し装置１６から温風を吹き出している状態を示す模式図である。
温風吹き出し装置１６は、図示せぬ送風機及びヒーターを備えており、導電線１５ａを介して太陽電池１５と接続されており、太陽電池１５から生じた電力によって、温風を吹き出すものである。
このように温風吹き出し装置１６により温風を吹き出すことで、例えば、シート１によって洗濯物の露出を制限しつつ、吹き出し先に設けられた洗濯物を好適に乾燥させることができる。また、太陽電池１５から生じた電力を温風吹き出し装置１６の動作に用いることで、別途電源を用意する必要がなくなる。
【００５２】
留め具付きシートセットＳは、図８に示すように、シート１の外表面に設けられた太陽電池１５と、太陽電池１５に接続された高電圧殺虫器１７と、を備えるものであってもよい。図８は、シート１に設けられた太陽電池１５からの電力によって、高電圧殺虫器１７を稼働させている状態を示す模式図である。
高電圧殺虫器１７は、図示せぬ高電圧変圧器を備えており、導電線１５ａを介して太陽電池１５と接続されており、太陽電池１５から生じた電力によって、殺虫可能に変圧するものである。
シート１に高電圧殺虫器１７が接続されていることで害虫除けとなる。さらに、太陽電池１５から生じた電力を高電圧殺虫器１７に用いることで、別途電源を用意する必要がなくなる。
【００５３】
なお、高電圧殺虫器１７をシート１とは別個に設けるのではなく、シート１が備えていてもよい。この場合、シート１に設けられた高電圧殺虫器１７に、人がシート１に触れても問題は生じない程度の電圧を生じさせるようにすればよい。または、人の指が入らないが小さな虫は入るような、３〜５ｍｍ四方程度の隙間を有する格子をシート１の外表面を覆うように取り付け、格子の内部に高電圧部を配設するようにしてもよい。
【００５４】
なお、シートセットＳは、温風吹き出し装置１６及び高電圧殺虫器１７のオンオフや、強度を調整可能な制御装置を当然備えることができる。
また、シート１に設けられた太陽電池１５による電力を他の機器の駆動電力に用いるようにしてもよい。このような構成によれば、シート１を光の当たるところに配置できれば、発電可能となり、発電により生じた電力を有効利用することができる。
【００５５】
上記実施形態に係る留め具付きシートセットＳは、図１に示すように平面的に延在するシート１を備えるものについて説明したが、円弧状や角張ったＣ字状にシート１を配設するような構成であってもよく、複数のウェイトバー３を備えるものであってもよい。複数のウェイトバー３の場合、夫々の両端部をシート用留め具４で保持すると好適である。
【００５６】
上記実施形態に係る留め具付きシートセットＳは、ローラブラインドであるものとして説明したが、本考案はこのような用途に限定されるものではない。例えば、ビニールハウスの壁面シートや、店舗の店先に設置される張り出し日除けシート、キャンプの際のテント等に用いるようにしてもよい。そして、留め具付きシートセットＳは、遮光のため、屋内を視認されることの防止のための他、虫除けのため、鳥の糞害防止のため、花粉吸着による花粉対策のため、洗濯物を乾燥させるため、農作物の温度を一定に保つため等に用いることができる。
【００５７】
本実施形態は以下の技術思想を包含する。
（１）シートの端末に取り付けられたウェイトバーを保持するためのシート用留め具であって、
前記ウェイトバーを収容する内部空間である収容部と、該収容部の出入口であり前記ウェイトバーを前記収容部に対して受け入れ可能又は取り出し可能とする出入口部と、を有して囲み形状に形成された留め具本体と、
前記収容部に収容された前記ウェイトバーの抜け止めを行う抜け止め片と、を備え、
該抜け止め片は、前記収容部を狭めるように、前記留め具本体から前記収容部に突出していることを特徴とするシート用留め具。
（２）前記出入口部の開口幅は、自然状態において、前記収容部の幅よりも狭く形成されている（１）に記載のシート用留め具。
（３）前記抜け止め片は、前記収容部に収容された前記ウェイトバーを前記留め具本体の内面に押し付けるように配設されている（１）又は（２）に記載のシート用留め具。
（４）前記抜け止め片は可撓性部材から成り、
前記抜け止め片における前記収容部に収容された前記ウェイトバーに当接する部位が、前記収容部における前記出入口部とは逆の奥側に対向している（３）に記載のシート用留め具。
（５）前記抜け止め片は、撓み可能に構成されており、撓むことで前記出入口部の開口幅を大きくすることができ、
前記留め具本体は、前記ウェイトバーをガイドするガイド端部を有し、
該ガイド端部は、前記留め具本体において前記抜け止め片とは逆側に設けられて、前記収容部から外方に向かって末広がりとなるように傾斜しており、前記ウェイトバーが前記抜け止め片を撓ませる位置に前記ウェイトバーをガイドしている（１）から（４）のいずれか一項に記載のシート用留め具。
（６）（１）から（５）のいずれか一項に記載のシート用留め具と、
シートと、
該シートの一方の端末に取り付けられたウェイトバーと、
前記シートの他方の端末に取り付けられた巻取軸と、を備える留め具付きシートセット。
（７）前記ウェイトバーは、弾性材料を少なくとも外周部に含む（６）に記載の留め具付きシートセット。
（８）前記巻取軸の少なくとも一方の端部には、前記巻取軸の軸方向に伸縮可能な伸縮部材が取り付けられており、
前記巻取軸は、前記伸縮部材を介して支持部材によって支持されることが可能であり、
前記伸縮部材は、
前記巻取軸の端部に嵌合する中空の嵌合部と、
該嵌合部に対して回動する回動部と、
前記嵌合部の中空部分に対して伸縮方向に突没する突没部と、
前記回動部の回動変位を前記突没部の伸縮方向の変位に変換する変位方向変換部と、を有し、
前記突没部は、自然状態において前記嵌合部から突出して前記支持部材によって支持可能となり、前記回動部が回動したときに前記嵌合部の中空部分に没入して、前記支持部材による支持を解除する（６）又は（７）に記載の留め具付きシートセット。
（９）前記シートは、太陽電池を備える（６）から（８）のいずれか一項に記載の留め具付きシートセット。
（１０）温風吹き出し装置を更に備え、
該温風吹き出し装置は、前記太陽電池から生じた電力によって、温風を吹き出す（９）に記載の留め具付きシートセット。
（１１）高電圧殺虫器を更に備え、
該高電圧殺虫器は、前記太陽電池から生じた電力によって、殺虫可能に変圧し高電圧を前記シートの少なくとも一部に生じさせる（９）又は（１０）に記載の留め具付きシートセット。
【符号の説明】
【００５８】
１  シート
１ａ  係止片
２  巻取軸
２ａ  開口
２ｂ  受け部
３  ウェイトバー
３ａ  開口
３ｂ  受け部
４  シート用留め具
４ａ  留め具本体
４ａａ  底部
４ａｂ  高壁部
４ａｃ  低壁部
４ｂ  抜け止め片
４ｂａ  基部
４ｂｂ  傾斜部
４ｂｃ  当接部
４ｄ  出入口部
４ｅ  突出部
４ｆ  ガイド端部
４ｇ  収容部
５  支持脚
６  端部支持部材（支持部材）
７  カバー
８  伸縮部材
９  回動部材（回動部）
９ａフランジ部
９ｂ  本体部
９ｃ  中空部
９ｄ  係合突起（変位方向変換部）
９ｅ  貫通孔
１０  嵌合部材（嵌合部）
１０ａ  フランジ部
１０ｂ  本体部
１０ｃ  貫通孔
１１  突没部材
１１ａ  傾斜端部（変位方向変換部）
１１ｂ  突没部
１２  ねじりばね
１３  圧縮ばね
１４  シート用留め具
１４ｂ  抜け止め片
１４ｂｂ  傾斜部
１４ｂｃ  当接部
１４ｄ  出入口部
１５  太陽電池
１５ａ  導電線
１６  温風吹き出し装置
１７  高電圧殺虫器
２３  ウェイトバー
２３ｃ  シリコンラバー（弾性材料）
Ｈ  家屋
Ｈａ  庇
Ｌ  仮想直線
Ｓ  留め具付きシートセット
ｗ１、ｗ１ａ、ｗ１ｂ  開口幅
ｗ２  収容幅
【図１】
0003215540.tif 000003
【図２】
0003215540.tif 000004
【図３】
0003215540.tif 000005
【図４】
0003215540.tif 000006
【図５】
0003215540.tif 000007
【図６】
0003215540.tif 000008
【図７】
0003215540.tif 000009
【図８】
0003215540.tif 000010